(57)【要約】      （修正有）【課題】記録電流計の保持及び操作が可能な間接活線作業用の工具を提供する。【解決手段】先端工具は、絶縁ヤットコ１１０の固定側把持部１１５の先端に着脱自在に装着される分割工具１１Ａと、可動側把持部１１６の先端に着脱自在に装着される分割工具１１Ｂとによって構成されており、各工具は、絶縁ヤットコの把持部の先端に着脱可能に固定されるアダプタ部５０と、アダプタ部に連設されると共に他方の工具との対向面に形成された把持面を有し、他方の工具との間で操作対象物を把持する把持片２０と、把持片から突出する操作突起３０と、を備えている。分割工具１１Ａ、１１Ｂの各操作突起３０は、絶縁ヤットコ１１０に装着されたときに同方向に突出する。【選択図】図９
2017158294.tif 000002
【特許請求の範囲】
【請求項１】
固定側把持部と、該固定側把持部に対して接近又は離間することにより操作対象物を把持又は把持解除する可動側把持部と、を有した絶縁ヤットコに装着される先端工具であって、
該先端工具は前記可動側把持部の先端に着脱自在に装着される第一の工具と、前記固定側把持部の先端に着脱自在に装着される第二の工具とによって構成されており、
前記各工具は、
前記絶縁ヤットコの前記把持部の先端に着脱可能に固定されるアダプタ部と、
該アダプタ部に連設されると共に他方の工具との対向面に形成された把持面を有し、他方の工具との間で前記操作対象物を把持する把持片と、
該把持片から突出する操作突起と、を備えており、
前記第一及び第二の工具の前記各操作突起は、前記絶縁ヤットコに装着されたときに同方向に突出することを特徴とする先端工具。
【請求項２】
前記操作突起は、前記絶縁ヤットコの前記把持部の開閉動作面と交差する方向に突出するように構成されていることを特徴とする請求項１に記載の先端工具。
【請求項３】
前記各工具の前記把持面は、前記アダプタ部が他方のアダプタ部と対向する対向面よりも、非対向面側に退避した位置に配置されていることを特徴とする請求項１又は２に記載の先端工具。
【請求項４】
クランプ式の記録電流計を電線に着脱するための間接活線作業用の着脱装置であって、
固定側把持部と、該固定側把持部に対して接近又は離間することにより操作対象物を把持又は把持解除する可動側把持部と、を有した絶縁ヤットコと、
前記絶縁ヤットコに装着された請求項１乃至３の何れか一項に記載の先端工具と、
該先端工具の前記把持片の下方に配置されて落下物受け入れ用の開口を備えた袋体を有し、前記絶縁ヤットコに着脱自在に取り付けられる落下防止部材と、備えたことを特徴とする着脱装置。
【請求項５】
前記袋体は、前記先端工具によって前記記録電流計を把持した時に、少なくとも前記記録電流計の一部が前記袋体の内部に入る位置に配置されていることを特徴とする請求項４に記載の着脱装置。
【請求項６】
前記落下防止部材は、前記袋体を支持すると共に、前記固定側把持部の基部又は前記固定側把持部を支持する支持軸に対して着脱自在に装着される装着部と、該装着部に対する前記袋体の上下方向位置を調整する調整部材と、を備えたことを特徴とする請求項４又は５に記載の着脱装置。
【発明の詳細な説明】
【技術分野】
【０００１】
本発明は、高圧電線に対してクランプ式の記録電流計を着脱するために好適な間接活線用の工具に関し、特に、絶縁ヤットコに対して着脱自在に装着される先端工具、及びこれを備えた着脱装置に関する。
【背景技術】
【０００２】
高圧電線に係止されることにより一定の期間に渡って継続的に電流を計測するクランプ式の記録電流計が知られている。
【０００３】
記録電流計は、概略直方体形状の電流計本体と、電流計本体の上部に配置されたクランプとを備える。クランプは、電流計本体に固定された固定側のクランプと、電流計本体によって回動可能に支持されることにより固定側のクランプに対して接近又は離間する可動側のクランプとを備える。可動側のクランプはバネにより固定側のクランプに接近する方向に弾性付勢されており、弾性付勢力に抗して可動側のクランプを固定側のクランプから離間させることにより、クランプ間に電線を挿入し又は離脱させることができる。また、記録電流計は可動側のクランプの開放を阻止するロック機構として、電流計本体の側面に沿って進退するスライダを備えている
記録電流計の着脱に使用する工具として特許文献１には、記録電流計のクランプ及びスライダを操作する操作用工具が記載されている。操作用工具は、２本の棒状部材が同方向に突出した概略Ｆ字形状のヘッド部を備えている。クランプのロック及び解除の際には、操作用工具の棒状部材の一方によってスライダをスライド方向に押圧操作する。また、クランプの開閉の際には、操作用工具の一方（上側）の棒状部材をクランプ間に挿入し、他方（下側）の棒状部材を電流計本体の側面適所に当接させる。他方の棒状部材を支点として一方の棒状部材により可動側のクランプを回動させることにより、クランプを開放することができる。
【先行技術文献】
【特許文献】
【０００４】
【特許文献１】特開２００５−３３７９６１公報
【発明の概要】
【発明が解決しようとする課題】
【０００５】
上記操作用工具は記録電流計を保持することはできない。このため、特許文献１には操作用工具と対となる工具として記録電流計を保持する保持具が記載されている。即ち、記録電流計の着脱には、複数の工具が必要であった。
本発明は上述の事情に鑑みてなされたものであり、記録電流計等の操作対象物の保持及び操作が可能な間接活線作業用の工具を提供することを目的とする。
【課題を解決するための手段】
【０００６】
上記の課題を解決するために、請求項１に記載の発明は、固定側把持部と、該固定側把持部に対して接近又は離間することにより操作対象物を把持又は把持解除する可動側把持部と、を有した絶縁ヤットコに装着される先端工具であって、該先端工具は前記可動側把持部の先端に着脱自在に装着される第一の工具と、前記固定側把持部の先端に着脱自在に装着される第二の工具とによって構成されており、前記各工具は、前記絶縁ヤットコの前記把持部の先端に着脱可能に固定されるアダプタ部と、該アダプタ部に連設されると共に他方の工具との対向面に形成された把持面を有し、他方の工具との間で前記操作対象物を把持する把持片と、該把持片から突出する操作突起と、を備えており、前記第一及び第二の工具の前記各操作突起は、前記絶縁ヤットコに装着されたときに同方向に突出することを特徴とする。
【０００７】
請求項２に記載の発明は、前記操作突起は、前記絶縁ヤットコの前記把持部の開閉動作面と交差する方向に突出するように構成されていることを特徴とする。
請求項３に記載の発明は、前記各工具の前記把持面は、前記アダプタ部が他方のアダプタ部と対向する対向面よりも、非対向面側に退避した位置に形成されていることを特徴とする。
【０００８】
請求項４に記載の発明は、クランプ式の記録電流計を電線に着脱するための間接活線作業用の着脱装置であって、固定側把持部と、該固定側把持部に対して接近又は離間することにより操作対象物を把持又は把持解除する可動側把持部と、を有した絶縁ヤットコと、前記絶縁ヤットコに装着された請求項１乃至３の何れか一項に記載の先端工具と、該先端工具の前記把持片の下方に配置されて落下物受け入れ用の開口を備えた袋体を有し、前記絶縁ヤットコに着脱自在に取り付けられる落下防止部材と、備えたことを特徴とする。
請求項５に記載の発明は、前記袋体は、前記先端工具によって前記記録電流計を把持した時に、少なくとも前記記録電流計の一部が前記袋体の内部に入る位置に配置されていることを特徴とする。
請求項６に記載の発明は、前記落下防止部材は、前記袋体を支持すると共に、前記固定側把持部の基部又は前記固定側把持部を支持する支持軸に対して着脱自在に装着される装着部と、該装着部に対する前記袋体の上下方向位置を調整する調整部材と、を備えたことを特徴とする。
【発明の効果】
【０００９】
本発明に係る間接活線作業用の先端工具及び着脱装置によれば、把持片によって操作対象物の保持やクランプ類の開閉操作等が可能であり、操作突起によって操作対象物の細部の操作が可能である。このため、操作対象物の操作に必要な工具の種類、及び工具を操作する作業員の数を削減することができる。
【図面の簡単な説明】
【００１０】
【図１】クランプ式の記録電流計の正面図であり、（ａ）はクランプの閉止時を示し、（ｂ）はクランプの開放時を示す図である。
【図２】（ａ）、（ｂ）は、絶縁ヤットコを示す図である。
【図３】先端工具を構成する分割工具の斜視図であり、（ａ）は、把持面側から観察した図を示し、（ｂ）は押圧ピン側から観察した図である。
【図４】分割工具のアダプタ部を示す図であり、（ａ）は斜視図であり、（ｂ）は断面図である。
【図５】先端工具を絶縁ヤットコに装着した状態を示す図である。
【図６】落下防止部材の一例を示す斜視図である。
【図７】落下防止部材の他の例を示す斜視図である。
【図８】記録電流計のロック機構の操作について説明する図であり、（ａ）はロック時を示し、（ｂ）はロック解除時を示す図である。
【図９】高圧電線から記録電流計を取り外す操作について説明する図であり、（ａ）は記録電流計へのアプローチ時を示し、（ｂ）は記録電流計のクランプを開放した状態を示す図である。
【図１０】先端工具の変形例を示す図であり、（ａ）は押圧ピン側から観察した図であり、（ｂ）は上面図である。
【発明を実施するための形態】
【００１１】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１２】
〔記録電流計〕
本発明の一実施形態に係る着脱装置による操作対象となる記録電流計について説明する。図１は、クランプ式の記録電流計の正面図であり、（ａ）はクランプの閉止時を示し、（ｂ）はクランプの開放時を示す図である。
記録電流計２００は、高圧電線Ｗに係止されることにより、高圧電線Ｗの周囲に発生する磁場の強度から高圧電線Ｗ中の通過電流を測定する装置である。
記録電流計２００は、電流の測定に必要な回路や記録用のメモリーカード等が内蔵された概略直方体形状の電流計本体２１０と、電流計本体２１０の上部に配置されて高圧電線Ｗに係止される一対のクランプ２２０ａ、２２０ｂとを備える。
クランプ２２０ａ、２２０ｂは、コイルが適宜巻回されたコアを内部に有しており、高圧電線Ｗの周囲に発生する磁場を検知する。
固定側のクランプ２２０ａは電流計本体２１０に対して固定されており、可動側のクランプ２２０ｂは電流計本体２１０の軸支部２１１によって矢印Ａ１−Ａ２方向に回動可能に軸支持されている。クランプ２２０ｂは、軸支部２１１に配置されたバネ等の弾性付勢部材によってクランプ２２０ａに接近する方向（又はクランプ２２０ｂの閉止方向、図１（ｂ）中矢印Ａ２方向）に弾性付勢されている。電流計本体２１０の側面からは、軸支部２１１を中心としてクランプ２２０ｂを開放方向に回動させるための被操作部２２１が突出している。被操作部２２１を電流計本体２１０側に押圧する（図１（ａ）中矢印Ｂ方向に押し込む）ことにより、クランプ２２０ｂは矢印Ａ１方向に回動してクランプ２２０ａから離間した開放姿勢（図１（ｂ））をとる。
【００１３】
また、被操作部２２１の直下には、被操作部２２１の押圧操作を禁止することによりクランプ２２０ｂの開放を阻止するロック機構２１２が配置されている。ロック機構２１２は、電流計本体２１０の側面に沿って被操作部２２１に対して接近又は離間方向（矢印Ｃ１−Ｃ２方向）にスライドするスライダ２１３を備えている。スライダ２１３は電流計本体２１０に設けられたガイド２１４によって移動方向を案内される。このガイド２１４は電流計本体２１０の側面から突出している。
スライダ２１３を被操作部２２１側（矢印Ｃ１方向）に移動させると、スライダ２１３の一部が被操作部２２１の押圧操作時に被操作部２２１に干渉して被操作部２２１の移動、即ち、クランプ２２０ｂの開放動作を阻止する。スライダ２１３を底部側（矢印Ｃ２方向）に移動させると、被操作部２２１は自由に押圧操作可能となり、クランプ２２０ｂの開放動作が許容される。
【００１４】
〔絶縁ヤットコ〕
本発明の一実施形態に係る先端工具、及び落下防止部材の取付対象となる絶縁ヤットコについて説明する。図２（ａ）、（ｂ）は、絶縁ヤットコを示す図である。
絶縁ヤットコ１１０は、絶縁性の支持軸１１１と、支持軸１１１の一端に取り付けられて対象物を把持する把持部１１２と、支持軸１１１の他端部に取り付けられて把持部１１２を開閉操作する手動操作部１１３と、手動操作部１１３の操作を把持部１１２に開閉動作として伝達する絶縁性の伝達軸１１４と、を備えている。
把持部１１２は、支持軸１１１に固定された固定側把持部１１５と、固定側把持部１１５に対して自在に回動するように軸部１１５ａにおいて軸支された可動側把持部１１６とを有する。可動側把持部１１６は、第一連結部１１７において伝達軸１１４の一端と連結されている。可動側把持部１１６は、固定側把持部１１５に対して接近又は離間することにより、操作対象物を把持し、又は把持解除する。
手動操作部１１３は、支持軸１１１によって回動可能に軸支された操作レバー１１８と、操作レバー１１８を伝達軸１１４の他端と連結する第二連結部１１９とを備える。操作レバー１１８の手動操作は、伝達軸１１４を介して把持部１１２の可動側把持部１１６に伝達される。
操作レバー１１８を操作することにより、可動側把持部１１６が操作レバー１１８の動作に応じて揺動し、可動側把持部１１６が固定側把持部１１５に近接して対象物を把持可能な閉止姿勢と、可動側把持部１１６が固定側把持部１１５から離間した開放姿勢との間で自在に開閉する。
ここで、支持軸１１１と固定側把持部１１５とは、固定ネジ１１５ｂ（突起部）によって一体化されている。固定ネジ１１５ｂは、固定側把持部１１５の側面から突出している。
【００１５】
〔着脱装置〕
本発明の第一の実施形態に係る着脱装置について説明する。本発明の一実施形態に係る間接活線作業用の着脱装置は、特にクランプ式の記録電流計を高圧電線に対して着脱するに好適な装置である。
図９に示すように、着脱装置は、絶縁ヤットコ１１０の把持部１１２先端に着脱自在に固定される一対の分割工具１１Ａ、１１Ｂから構成される先端工具と、絶縁ヤットコ１１０の固定側把持部１１５の基部１１５ｃ又は支持軸１１１に対して着脱自在に装着される落下防止部材７０とを備えている。
【００１６】
＜先端工具＞
図３は、先端工具を構成する分割工具の斜視図であり、（ａ）は、把持面側から観察した図を示し、（ｂ）は押圧ピン側から観察した図である。
先端工具１０は、絶縁ヤットコ１１０（図５参照）の固定側把持部１１５の先端に着脱自在に装着される固定側の分割工具１１Ａ（第一の工具）と、可動側把持部１１６の先端に着脱自在に装着される可動側の分割工具１１Ｂ（第二の工具）とによって構成される。分割工具１１Ａと分割工具１１Ｂは対称な形状である。以下の説明において特に両者を区別しないときは単に分割工具１１という。
分割工具１１は、絶縁ヤットコ１１０の把持部１１２の先端に着脱可能に固定されるアダプタ部５０と、アダプタ部５０に連設されると共に他方の分割工具１１との間で操作対象物である記録電流計２００を把持する把持片２０と、把持片２０から突出する操作突起３０とを備えている。また、把持片２０は、絶縁ヤットコ１１０に装着されたときに他方の工具と対向する対向面に形成された把持面２１を有する。分割工具１１は略全体がアルミニウム等の金属から形成されている。
【００１７】
図４は、分割工具のアダプタ部を示す図であり、（ａ）は斜視図であり、（ｂ）は断面図である。
アダプタ部５０は、絶縁ヤットコ１１０の把持部１１２の先端部１２０が挿入される挿入部５１と、挿入部５１の開口側端縁から把持部１１２の挿入方向に延びるスリット５３と、を有する。スリット５３は、把持部１１２の表面に突出形成されたリブ部１２１と係合する。
【００１８】
また、アダプタ部５０は、挿入部５１内に出没する押圧ピン５５と、押圧ピン５５を出没自在に支持するピン孔５７を有するピン受部５８と、押圧ピン５５を挿入部５１内に突出させる方向に弾性付勢するコイルバネ５９（弾性付勢部材）と、を有する。また、押圧ピン５５には、ピン孔５７よりも大径のヘッド部６１が形成され、押圧ピン５５の挿入部５１内への突出量が制限されている。押圧ピン５５の先端は、把持部１１２の表面に凹状に形成された係合穴１２２に係合して、分割工具１１の絶縁ヤットコ１１０からの脱落を防止する。
【００１９】
図５は、先端工具を絶縁ヤットコに装着した状態を示す図である。
夫々の分割工具１１を絶縁ヤットコ１１０に装着するには、押圧ピン５５のヘッド部６１をつまんで、押圧ピン５５を挿入部５１から離脱させる。この状態で、絶縁ヤットコ１１０の把持部１１２の先端部１２０を挿入部５１内に挿入する。このとき、スリット５３と絶縁ヤットコ１１０のリブ部１２１とが係合するように挿入する。ヘッド部６１から手を離せば、押圧ピン５５が挿入部５１内に突出して、押圧ピン５５の先端が係合穴１２２に係合し、アダプタ部５０が把持部１１２に固定される。この状態では、操作レバー１１８の操作に応じて分割工具１１同士が接近又は離間動作する。
なお、分割工具１１を絶縁ヤットコ１１０から取り外すには、逆の操作を行えば良い。
【００２０】
図３に示すように、分割工具１１について互いに直交するｘ軸−ｙ軸−ｚ軸を仮定する。ｘ軸の方向は、絶縁ヤットコ１１０を開閉操作した時に分割工具１１が移動する方向と略一致する方向とする。ｚ軸の方向は、絶縁ヤットコ１１０に対する分割工具１１の装着方向であり、スリット５３の延在方向と一致する方向とする。ｙ軸は、ｘ軸とｚ軸の双方に直交する方向とする。
絶縁ヤットコ１１０の把持部１１２はｘ−ｚ平面内で開閉動作する。つまり、絶縁ヤットコ１１０の把持部１１２はｘ−ｚ平面内に開閉動作面を有する。把持片２０及び操作突起３０はアダプタ部５０からｘ−ｚ面と直交する方向（又は交差する方向）に突出している。ここではｙ軸方向に突出している。
【００２１】
把持片２０は、記録電流計２００を把持した時に記録電流計２００と接触する面（把持面２１、ｙ−ｚ面に略平行な面）を備えている。把持面２１は、一方の分割工具１１のアダプタ部５０が他方の分割工具１１のアダプタ部５０と対向する面（対向面５０ａ）よりも、ヘッド部６１（非対向面）側に退避した位置に配置されている。
分割工具１１Ａ、１１Ｂが装着された絶縁ヤットコ１１０を完全に閉止したとき、夫々のアダプタ部５０の対向面５０ａ同士は接触するが、把持面２１同士は接触せずに離間した状態となる。分割工具１１を装着することにより、絶縁ヤットコ１１０の把持部１１２の開口幅よりも把持面２１の間隔を広くすることができる。従って、幅方向に肉厚な記録電流計２００を把持しやすくなり、クランプ２２０を操作しやすくなる。
【００２２】
把持片２０の外周部のうちの少なくとも把持面２１には、記録電流計２００を把持したときにその落下を防止するための滑り止めが施されている。滑り止めは、例えば高い摩擦力を発揮させるゴム等から構成することができる。滑り止めは、例えば無端、環状のゴムを把持片２０に嵌合させて把持片２０を被覆することにより形成される。また、この滑り止めは、適度な柔軟性を有しており、記録電流計２００を把持したときに記録電流計２００への傷の発生や損傷を防止する保護部材としても機能する。
図示する把持面２１は平坦な形状であるが、凹凸（例えば線状の凹凸、ギザギザ等）を有する形状であってもよい。また、滑り止めは、把持片を構成する金属の表面に凹凸を形成したものであってもよい。
【００２３】
操作突起３０は、把持片２０による記録電流計２００の把持を阻害しない位置に配置される。本例では、操作突起３０は把持片２０の先端面から突出している。
操作突起３０は先細りの棒状の部材である。操作突起３０は、柱状（棒状）、錐状、の何れの形状であってもよい。また、操作突起３０は、横断面（図示する例ではｚ−ｘ断面）の形状が円形、楕円形、多角形状、星形等の何れの形状であってもよい。また、操作突起３０には、把持片２０と同様にゴム等を巻付けることによる滑り止め加工や、記録電流計２００の損傷を防止するための保護加工等が施されていてもよい。また、操作突起３０は中間部が湾曲する形状や屈曲する形状であってもよい。
分割工具１１Ａ、１１Ｂが絶縁ヤットコ１１０（図５参照）の固定側把持部１１５と可動側把持部１１６に夫々装着されたとき、各分割工具１１Ａ、１１Ｂの操作突起３０、３０は、同方向に並行に突出する。
【００２４】
＜落下防止部材＞
図６は、落下防止部材の一例を示す斜視図である。
落下防止部材７０は、絶縁ヤットコ１１０に対して着脱自在に装着される装着部７１と、装着部７１によって支持されて上部に落下物受け入れ用の開口８３を有する袋体８１とを備えている。
落下防止部材７０は装着部７１によって、図２に示す絶縁ヤットコ１１０の固定側把持部１１５の基部１１５ｃ又は、支持軸１１１の先端部（固定側把持部１１５の直下）に装着される。図６には装着部７１の一例として、概略半筒状（或いは上面視概略Ｕ字形状）のクランプを示している。
装着部７１は、例えば半筒状の固定片７３と、固定片７３の周方向両端部から径方向に並行に延在する一対の延在部７５、７５と、延在部７５、７５を締め付けるボルト７７とを備える。延在部７５、７５の間から固定片７３内に基部１１５ｃを挿入すると共に、ボルト７７を締め付けることによって装着部７１を基部１１５ｃに固定することができる。なお、装着部７１を図２に示す固定側把持部１１５の側面から突出した固定ネジ１１５ｂの直上に装着すれば、固定片７３が固定ネジ１１５ｂに係止されるので、落下防止部材７０の脱落が効果的に防止される。
【００２５】
袋体８１は、落下する記録電流計２００を受け止めることができればよく、布、メッシュ、ビニール、その他の材料から構成することができる。袋体８１は、開口８３の形状を保持するフレーム８５を備えている。開口８３の形状は、記録電流計を受け入れ可能な形状であれば円形、楕円形、多角形或いはその他の形状であってもよい。
フレーム８５は連設片８７を介して装着部７１によって支持されている。連設片８７の一端部には装着部７１が接続され、他端部にはフレーム８５が接続されている。連設片８７は絶縁ヤットコ１１０に対する袋体８１の位置を決定する。連設片８７の形状及び長さは、連設片８７が維持するべき袋体８１の位置に応じて決定される。連設片８７は、袋体８１の開口８３を絶縁ヤットコ１１０の把持部１１２の側方であって把持部１１２とは干渉しない位置に維持する。連設片８７は、例えば装着部７１の固定片７３の側面から径方向に伸びて上方に屈曲形成された側面視概略Ｌ字形状の部材とすることができる。これにより、袋体８１の開口８３は装着部７１よりも上方に位置し、絶縁ヤットコ１１０の把持部１１２から離間した位置に配置される。また、連設片８７は、袋体８１を夫々の分割工具１１の把持片２０の直下（下方）に配置する。即ち、連設片８７は、袋体８１を先端工具１０が操作する記録電流計２００の直下に配置する。
【００２６】
また、連設片８７は袋体８１の上下方向位置を、先端工具１０によって記録電流計２００を把持するときやクランプ２２０ａ、２２０ｂを開閉操作するときに、少なくとも電流計本体２１０の下部（一部）が袋体８１の内部に入るように位置決めする。このように袋体８１の上下方向位置を設定することによって、誤って、又は意図的に記録電流計２００を落下させたとしても、記録電流計２００は袋体８１の外部に落下せず、袋体８１によって受け止めることが可能となる。
【００２７】
図７は落下防止部材の他の例を示す斜視図である。
落下防止部材９０は、装着部７１に対する袋体８１の上下方向位置を調整する調整部材９１を備えてもよい。調整部材９１は、装着部７１と袋体８１との間に配置される。調整部材９１は、袋体８１を支持すると共に、装着部７１に対する袋体８１の上下方向位置を調整する。
調整部材９１は、一端部が装着部７１に固定された連設片９３と、連設片９３の他端部に配置されたスライド部材９５と、スライド部材９５をガイドするガイド長孔９６を備えたガイド部材９７とを備える。ガイド部材９７はフレーム８５に対して固定されている。また、ガイド部材９７は、フレーム８５と同等の高さ位置か、フレーム８５よりも上方に突出しないようにフレーム８５に対して接続されていることが望ましい。
スライド部材９５はガイド長孔９６に挿通される軸部を有したネジ部材９９によって、ガイド長孔９６に沿って進退する。また、ネジ部材９９によりスライド部材９５をガイド部材に対して締結することにより、ガイド部材に対するスライド部材９５の上下方向位置、即ち、装着部７１に対する袋体８１の上下方向位置を固定することができる。
【００２８】
〔使用方法〕
着脱装置の使用方法について説明する。
まず、先端工具１０によるロック機構の操作について説明する。図８は、記録電流計のロック機構の操作について説明する図であり、（ａ）はロック時を示し、（ｂ）はロック解除時を示す図である。
前提として、絶縁ヤットコ１１０の固定側把持部１１５と可動側把持部１１６の夫々の先端に、本発明の一実施形態に係る分割工具１１、１１が夫々装着されているものとする。このとき、必ずしも落下防止部材が装着されている必要はない。
【００２９】
図８（ａ）に示すように、高圧電線Ｗに係止された記録電流計２００をロックする際には、一方の分割工具１１の操作突起３０をクランプ２２０ａの上面（又は電流計本体２１０の上面）に接触させると共に、他方の分割工具１１の操作突起３０をスライダ２１３の下面に接触させた状態とする。この状態で絶縁ヤットコ１１０を閉止方向に操作することで、スライダ２１３が被操作部２２１側に移動し、その後はクランプ２２０ｂの開放動作を阻止することができる。
図８（ｂ）に示すように、高圧電線Ｗに係止された記録電流計２００のロックを解除する際には、一方の分割工具１１の操作突起３０をスライダ２１３の上面に接触させる。他方の分割工具１１の操作突起３０をスライダ２１３の下方に位置するガイド２１４の下面に接触させるか、又は電流計本体２１０の下面に接触させた状態とする。この状態で絶縁ヤットコ１１０を閉止方向に操作することで、スライダ２１３が被操作部２２１から離間する方向に移動し、その後はクランプ２２０ｂの開放動作を自由に行うことができる。
【００３０】
続いて着脱装置を用いて、高圧電線から記録電流計を取り外す操作について説明する。図９は、高圧電線から記録電流計を取り外す操作について説明する図であり、（ａ）は記録電流計へのアプローチ時を示し、（ｂ）は記録電流計のクランプを開放した状態を示す図である。
なお、本作業を実施するに当たり、前提として、絶縁ヤットコ１１０の固定側把持部１１５と可動側把持部１１６の先端に、本発明の一実施形態に係る分割工具１１、１１が夫々装着され、且つ、落下防止部材７０が絶縁ヤットコ１１０に固定されているものとする。また、図８（ｂ）に示す記録電流計のロックの解除が完了しているものとする。
図９（ａ）に示すように、作業員は記録電流計２００が袋体８１の中に入るように、分割工具１１、１１及び袋体８１を記録電流計２００の下方から接近させる。
【００３１】
続いて作業員は、図９（ｂ）に示すように、記録電流計２００のクランプ２２０ｂを開放させる。即ち、作業員は一方の把持片２０に被操作部２２１を接触させた状態にて電流計本体２１０を把持片２０、２０によって挟持することによってクランプ２２０ｂを開放させる。クランプ２２０ｂの開放により記録電流計２００を高圧電線Ｗから取り外すことが可能となる。また、この状態から把持片２０、２０同士を離間させる方向に絶縁ヤットコ１１０を開放操作することで、記録電流計２００は袋体８１内に落下する。
【００３２】
図９とは逆に、記録電流計２００を高圧電線Ｗに装着する場合、作業員は一方の把持片２０に被操作部２２１を接触させた状態にて電流計本体２１０を把持片２０、２０によって挟持し、クランプ２２０ｂを開放させた状態で記録電流計２００を保持する。このとき、記録電流計２００の下部が袋体８１内に入るようにしておく。続いて、記録電流計２００を高圧電線Ｗに接近させ、クランプ２２０ａ、２２０ｂ間に高圧電線Ｗが挿入されたことを確認した後に把持片２０、２０間を離間させると、クランプ２２０ｂは内蔵された弾性付勢部材の弾性付勢力により閉止して記録電流計２００は高圧電線Ｗに係止される。その後は、図８（ａ）に示すようにロック機構２１２を操作してクランプ２２０ｂをロックさせる。
なお、装着作業時に誤って記録電流計２００を落下させたとしても、記録電流計２００は袋体８１内に落下するだけであるので、記録電流計２００が地表に落下して破損するといった事態を回避できる。
【００３３】
〔効果〕
従来は、記録電流計を高圧電線Ｗに取り付け、又は取り外す場合には、記録電流計が落下しないように記録電流計を保持する作業員と、記録電流計のクランプ及びロック機構を操作する作業員の２名が必要であった。
本発明によれば、万が一操作を誤っても、記録電流計は直下に配置された袋体に落下するだけであるので、記録電流計の破損等を防止すると共に、記録電流計の取り付け及び取り外し操作を１名の作業員により実施することができる。また、ロック機構の操作を可能とする操作突起を対となる分割工具に備えたので、１つの先端工具によりロック機構の操作も可能となる。
【００３４】
〔変形例〕
図１０は、先端工具の変形例を示す図であり、（ａ）は押圧ピン側から観察した図であり、（ｂ）は上面図である。図には、可動側把持部１１６に固定される可動側の分割工具１０１Ｂ（第二の工具）を示している。なお、固定側把持部１１５に装着される固定側の分割工具の形状は、分割工具１０１Ｂと対象な形状であり、対となる２つの分割工具によって１つの先端工具が構成される。
分割工具１０１の操作突起３０は、アダプタ部５０に対して把持片２０とは逆方向（図中−ｙ方向）に突出してもよい。本例に示す操作突起３０は、アダプタ部５０から突出する構成であるが、把持片２０から突出する構成としてもよい。また、図示する操作突起３０は、アダプタ部５０の対向面５０ａ寄りの位置から突出しているため、把持片２０とは図中ｘ軸方向における位置が異なっているが、操作突起３０と把持片２０とのｘ軸方向における位置を略同一としてもよい。
図示するように、操作突起３０をアダプタ部５０に対して把持片２０とは逆方向に突出させることで、絶縁ヤットコ１１０に落下防止部材７０（図６参照）を装着した状態であっても、記録電流計２００のロック機構２１２の操作時に記録電流計２００は袋体８１と干渉しなくなる。従って、ロック機構の操作が容易となる。また、アダプタ部５０の対向面５０ａ寄りの位置から操作突起３０を突出させることで、対となる分割工具１０１、１０１の操作突起３０、３０の間隔が短縮され、図８（ｂ）に示すロックの解除操作が容易となる。
【００３５】
〔本発明の実施態様例と作用、効果のまとめ〕
＜第一の実施態様＞
本態様は、固定側把持部１１５と、該固定側把持部に対して接近又は離間することにより操作対象物（記録電流計２００）を把持又は把持解除する可動側把持部１１６と、を有した絶縁ヤットコ１１０に装着される先端工具１０であって、該先端工具は可動側把持部の先端に着脱自在に装着される第一の工具（分割工具１１Ａ）と、固定側把持部の先端に着脱自在に装着される第二の工具（分割工具１１Ｂ）とによって構成されており、各工具は、絶縁ヤットコの把持部の先端に着脱可能に固定されるアダプタ部５０と、アダプタ部に連設されると共に他方の工具との対向面に形成された把持面２１を有し、他方の工具との間で操作対象物を把持する把持片２０と、把持片から突出する操作突起３０と、を備えており、第一及び第二の工具の各操作突起は、絶縁ヤットコに装着されたときに同方向に突出することを特徴とする。
【００３６】
本態様に係る間接活線用の先端工具を用いれば、操作対象物の保持及び細部の操作が可能である。仮に操作対象物が記録電流計の場合、本態様の先端工具が備える一対の把持片によって記録電流計を把持し、クランプ２２０を開閉操作することができる。また、把持片から突出する操作突起により、記録電流計のロック機構２１２を構成するスライダ２１３をロック方向又はロック解除方向に移動させるといった、把持片では行い得ない細かな作業も実施可能である。
本態様によれば、１つの間接活線用の先端工具によって複数の作業が可能である。このため、記録電流計の着脱に必要な工具の数、及び工具を操作する作業員の数を削減することができる。
【００３７】
＜第二の実施態様＞
本態様に係る先端工具１０において操作突起３０は、絶縁ヤットコ１１０の把持部１１２の開閉動作面と交差する方向に突出するように構成されていることを特徴とする。
本態様によれば、操作突起の間に操作対象物（記録電流計２００）を挟んで操作することができる。また、把持片２０による操作対象物の把持時に操作突起が邪魔にならない。
【００３８】
＜第三の実施態様＞
本態様に係る先端工具１０において各工具（分割工具１１）の把持面２１は、アダプタ部５０が他方のアダプタ部と対向する対向面５０ａよりも、非対向面側に退避した位置に配置されていることを特徴とする。
絶縁ヤットコ１１０の固定側把持部１１５と可動側把持部１１６の間の開放幅には限界があり、仮に操作対象物（記録電流計２００）が幅方向に肉厚である場合に操作対象物の把持が困難となる場合がある。本態様によれば、幅方向に肉厚な操作対象物を把持しやすくなる。
【００３９】
＜第四の実施態様＞
本態様は、クランプ式の記録電流計２００を電線Ｗに着脱するための間接活線作業用の着脱装置であって、固定側把持部１１５と、該固定側把持部に対して接近又は離間することにより操作対象物を把持又は把持解除する可動側把持部１１６と、を有した絶縁ヤットコ１１０と、絶縁ヤットコに装着された先端工具１０と、先端工具の把持片２０の下方に配置されて落下物受け入れ用の開口８３を備えた袋体８０を有し、絶縁ヤットコに着脱自在に取り付けられる落下防止部材７０と、備えたことを特徴とする。
従来、記録電流計の着脱には、特許文献１に記載されているように、記録電流計のクランプ２２０やロック機構２１２を操作する作業員の他に、保持具により記録電流計を落下しないように支持する作業員との２名が必要であり、作業の繁雑さを招く原因となっていた。
本態様によれば、記録電流計の着脱操作時に誤って把持片による把持状態が解除されたとしても、記録電流計は落下防止部材の袋体内に落下するだけであるので、記録電流計の落下による事故の発生や、記録電流計の破壊等を防止できる。また、記録電流計を保持する作業員が不要となるので、作業性の向上を図りつつ人為的コストの削減が可能となる。
【００４０】
＜第五の実施態様＞
本態様に係る着脱装置において袋体８０は、先端工具１０によって記録電流計２００を把持した時に、少なくとも記録電流計の一部が袋体８０の内部に入る位置に配置されていることを特徴とする。
先端工具によって記録電流計を把持した時に記録電流計の少なくとも一部、具体的には記録電流計の下部が袋体内に入っていれば、把持片２０による把持が解除されたとしても記録電流計が袋体の外部に落下するといった事態は発生しづらい。本態様は、このような高さ位置に袋体を配置することによって、記録電流計の落下をより効果的に防止するものである。
【００４１】
＜第六の実施態様＞
本態様に係る着脱装置において落下防止部材９０は、袋体８０を支持すると共に、固定側把持部１１６の基部又は固定側把持部を支持する支持軸１１１に対して着脱自在に装着される装着部７１と、装着部に対する袋体の上下方向位置を調整する調整部材９１と、を備えたことを特徴とする。
本態様によれば、先端工具によって把持する記録電流計２００の上下方向長や作業箇所の状況に応じて袋体の高さ位置を適切な位置に調整することができる。
【符号の説明】
【００４２】
１０…先端工具、１１、１０１…分割工具、２０…把持片、２１…把持面、３０…操作突起、５０…アダプタ部、５０ａ…対向面、５１…挿入部、５３…スリット、５５…押圧ピン、５７…ピン孔、５８…ピン受部、５９…コイルバネ、６１…ヘッド部、７０…落下防止部材、７１…装着部、７３…固定片、７５…延在部、７７…ボルト、８１…袋体、８３…開口、８５…フレーム、８７…連設片、９０…落下防止部材、９１…調整部材、９３…連設片、９５…スライド部材、９６…ガイド長孔、９７…ガイド部材、９９…ネジ部材、１１０…絶縁ヤットコ、１１１…支持軸、１１２…把持部、１１３…手動操作部、１１４…伝達軸、１１５…固定側把持部、１１５ａ…軸部、１１５ｂ…固定ネジ、１１５ｃ…基部、１１６…可動側把持部、１１７…第一連結部、１１８…操作レバー、１１９…第二連結部、１２０…先端部、１２１…リブ部、１２２…係合穴、２００…記録電流計、２１０…電流計本体、２１１…軸支部、２１２…ロック機構、２１３…スライダ、２１４…ガイド、２２０ａ、２２０ｂ…クランプ、２２１…被操作部
【図１】
2017158294.tif 000003
【図２】
2017158294.tif 000004
【図３】
2017158294.tif 000005
【図４】
2017158294.tif 000006
【図５】
2017158294.tif 000007
【図６】
2017158294.tif 000008
【図７】
2017158294.tif 000009
【図８】
2017158294.tif 000010
【図９】
2017158294.tif 000011
【図１０】
2017158294.tif 000012